(57)【特許請求の範囲】
【請求項１】
取付金具によって、内壁パネルを入隅用コーナー添柱に密着固定する取付構造であって、
取付金具は、断面Ｌ字状に折曲された金具本体と、この金具本体の一方の板部の一部をその端縁から切り起こして形成された挟持片と、からなり、金具本体の他方の板部には、入隅用コーナー添柱に仮固定された取付金具がこの入隅用コーナー添柱の開口端縁部に添って昇降することで内壁パネルを入隅用コーナー添柱に密着するように移動させることができる円弧状またはく字状の引き寄せ誘導溝が形成されてなり、
金具本体の一方の板部と挟持片とが入隅用コーナー添柱の開口端縁部を挟み込むように差し込まれて、この開口端縁部に取付金具が仮固定され、入隅用コーナー添柱および金具本体の他方の板部に添って建て込まれた内壁パネルの縦枠に引き寄せ誘導溝から案内用釘が打ち込まれ、
この状態で金具本体を叩くことによって入隅用コーナー添柱に仮固定された取付金具を昇降させて内壁パネルを入隅用コーナー添柱に密着するように移動させた後、引き寄せ誘導溝から内壁パネルの縦枠に固定用釘が打ち込まれてこの縦枠に取付金具が固定されてなることを特徴とする入隅部における内壁パネルの取付構造。
【発明の詳細な説明】
【０００１】
【発明の属する技術分野】
この発明は、壁軸組が直交するように配設された入隅部に内壁パネルを固定する取付構造に関するものである。
【０００２】
【従来の技術】
従来、図７に示すように、直交するように配設された隣接する壁軸組４，４と、これらの壁軸組４，４の各縦柱４１，４１に添うとともに、開口部５ａを室内側に向けて立設された断面略リップ山形鋼形状の入隅用コーナー添柱５とによって形成される入隅部において、壁軸組４および入隅用コーナー添柱５に添って内壁パネル６を取り付けるため、特開平５−３０２４２２号公報に記載される取付金具が採用されている。この取付金具１０は、一端部に略く字状の引き寄せ誘導溝１１ａが形成されるとともに、他端部近傍に１本もしくは複数本の嵌合用切込溝１１ｂが形成された一対の取付板部１１，１１を、これらの取付板部１１の嵌合用切込溝１１ｂ同士を嵌め合わせ、上方よりみて十文字状に組み合わせて構成されている。
【０００３】
そして、取付金具１０の各取付板部１１を入隅用コーナー添柱５の開口部５ａを通して挿入し、その開口端縁部５１の内面にあてがって保持し、それぞれ各取付板部１１の引き寄せ誘導溝１１ａから案内用釘を打ち込み、取付板部１１を叩いて内壁パネル６を壁軸組４および入隅用コーナー添柱５に密着するように移動させた後、各取付板部１１の引き寄せ誘導溝１１ａから固定用釘を打ち込んで固定するようにしている。
【０００４】
この結果、内壁パネル６を壁軸組４および入隅用コーナー添柱５に密着させて強固に固定することができる、といった利点を有するものである。
【０００５】
【発明が解決しようとする課題】
しかしながら、前述した取付金具によって内壁パネルを壁軸組および入隅用コーナー添柱に固定する際、一方の取付板部を叩いて内壁パネルを移動させると、その取付板部が昇降することから、嵌合用切込溝を介して嵌め合わされている他方の取付板部に影響を与えざるをえず、このため、予め取付板部の昇降距離を見込んで作業しなければならない他、一定の作業手順にしたがって作業する必要があり、作業者の熟練度によっては、内壁パネルを壁軸組および入隅用コーナー添柱に密着させることができない場合があった。
【０００６】
また、取付金具を入隅用コーナー添柱に仮固定することができず、各取付板部を入隅用コーナー添柱の開口端縁部の内面にあてがった状態を保持して釘打ち作業する必要があり、作業が煩雑になるという問題があった。
【０００７】
この発明は、このような問題点に鑑みてなされたもので、内壁パネルを壁軸組および入隅用コーナー添柱に確実に密着させた状態で強固に固定することのできる入隅部における内壁パネルの取付構造を提供するものである。
【０００８】
【課題を解決するための手段】
本発明は、取付金具によって、内壁パネルを入隅用コーナー添柱に密着固定する取付構造であって、取付金具は、断面Ｌ字状に折曲された金具本体と、この金具本体の一方の板部の一部をその端縁から切り起こして形成された挟持片と、からなり、金具本体の他方の板部には、入隅用コーナー添柱に仮固定された取付金具がこの入隅用コーナー添柱の開口端縁部に添って昇降することで内壁パネルを入隅用コーナー添柱に密着するように移動させることができる円弧状またはく字状の引き寄せ誘導溝が形成されてなり、金具本体の一方の板部と挟持片とが入隅用コーナー添柱の開口端縁部を挟み込むように差し込まれて、この開口端縁部に取付金具が仮固定され、入隅用コーナー添柱および金具本体の他方の板部に添って建て込まれた内壁パネルの縦枠に引き寄せ誘導溝から案内用釘が打ち込まれ、この状態で金具本体を叩くことによって入隅用コーナー添柱に仮固定された取付金具を昇降させて内壁パネルを入隅用コーナー添柱に密着するように移動させた後、引き寄せ誘導溝から内壁パネルの縦枠に固定用釘が打ち込まれてこの縦枠に取付金具が固定されてなることを特徴とするものである。
【０００９】
【発明の実施の形態】
以下、本発明の実施例の形態を図面に基づいて説明する。
【００１０】
図１には、本発明の入隅部における内壁パネルの取付金具１が示されており、この取付金具１は、断面Ｌ字状に折曲された金具本体２と、この金具本体２の一方の板部２１に形成された挟持片３と、からなり、金具本体２の他方の板部２２には、円弧状の引き寄せ誘導溝２２ａが形成されている。また、挟持片３は、金具本体２の一方の板部２１の一部をその端縁から切り起こして形成されたものであり、後述するように、金具本体２の一方の板部２１との間で入隅用コーナー添柱５の各開口端縁部５１を挟持することができるようになっている。
【００１１】
なお、壁軸組４は、詳細には図示しないが、溝型鋼によって形成された左右一対の縦柱４１および上弦材、下弦材を組み合わせて矩形に枠組みしたもので、その内部には、中央部に中柱が設けられている他、Ｘ字状にブレースが張設された従来公知のものである。
【００１２】
また、内壁パネル６は、左右一対の縦枠６１およびこれらの縦枠６１，６１間に連結された複数本の横桟（図示せず）によって矩形に枠組みした後、縦枠５１と横桟によってそれぞれ区画された各空間内にロックウールやグラスウールなどの断熱材６２を詰め込み、室内側の片面に防水防湿シート（図示せず）を貼着して形成されている。ここで、縦枠６１は、その外側面および壁軸組４に対面する背面とが交差することで形成される一隅部が切り欠かれており、このため、その横断面が厚肉の略Ｌ字状に形成されている。この縦枠６１の一隅に形成された切欠部の外側面に前述した金具本体２の他方の板部２２が添うようになっている。
【００１３】
このように構成した取付金具１を用いて内壁パネル６を壁軸組４および入隅用コーナー添柱５に対して固定する場合を説明する。まず、図２に示すように、取付金具１をその他方の板部２２が手前側（室内側）に向くように保持し、その金具本体２の一方の板部２１と挟持片３が入隅用コーナー添柱５の各開口端縁部５１を挟み込むように差し込む。この際、挟持片３は入隅用コーナー添柱５の開口端縁部５１によって押し広げられて弾性変形し、その弾性力によって入隅用コーナー添柱５の開口端縁部５１を押圧することから、取付金具１を入隅用コーナー添柱５の開口端縁部５１に仮に固定することができる。
【００１４】
この取付金具１は、入隅用コーナー添柱５の各開口端縁部５１について、上下方向に一定の間隔をおいて複数個ずつ取り付ける。
【００１５】
次いで、内壁パネル６を保持し、その一方の縦枠６１の背面を一方側の壁軸組４の前面および入隅用コーナー添柱５の前面に、また、その縦枠６１の切欠部の外側面を取付金具１の金具本体２の他方の板部２２にそれぞれ添うように建て込む。
【００１６】
この後、取付金具１の他方の板部２２に形成された引き寄せ誘導溝２２ａから内壁パネル６の縦枠６１の切欠部の外側面に案内用釘ｎ１を打ち込む（図３（ａ）参照）。そして、取付金具１の他方の板部２２を叩くことにより、案内用釘ｎ１、すなわち、内壁パネル６を壁軸組４の前面および入隅用コーナー添柱５の前面に密着するように引き寄せる。この際、取付金具１は、入隅用コーナー添柱５の開口端縁部５１に沿って昇降することで、内壁パネル６の移動を許容する（図３（ｂ）参照）。この後、内壁パネル６が壁軸組４の前面および入隅用コーナー添柱５の前面に密着したならば、取付金具１の金具本体２の引き寄せ誘導溝２２ａから内壁パネル６の縦枠６１に固定用釘ｎ２を打ち込み、固定する（図３（ｃ）参照）。
【００１７】
また、他方側の壁軸組４についても、内壁パネル６を保持し、その左方の縦枠６１の背面を壁軸組４の前面および入隅用コーナー添柱５の前面に、また、その縦枠６１の切欠部の外側面を取付金具１の金具本体２の他方の板部２２にそれぞれ添うように建て込み、同様に、引き寄せ誘導溝２２ａから内壁パネル６の縦枠６１に案内用釘ｎ１を打ち込んだ後、取付金具１を叩いて内壁パネル６を壁軸組４の前面および入隅用コーナー添柱５の前面に密着するように引き寄せ、次いで、引き寄せ誘導溝２２ａから内壁パネル６の縦枠６１に固定用釘ｎ２を打ち込んで固定する。
【００１８】
このようにして、入隅部に内壁パネル６，６が立設されたならば、図４に示すように、これらの直交する内壁パネル６，６の各縦枠６１，６１に添って入隅用添柱７を立設し、この入隅用添柱７を内壁パネル６，６の各縦枠６１，６１に釘打ちして固定するものである（図５参照）。
【００１９】
以上のように、取付金具１を入隅用コーナー添柱５の各開口端縁部５１に差し込んで仮固定した後、内壁パネル６を建て込み、取付金具１の引き寄せ誘導溝２２ａから内壁パネル６に案内用釘ｎ１を打ち込んで内壁パネル６を移動させ、固定用釘ｎ２を再び取付金具１の引き寄せ誘導溝２２ａから内壁パネル６に打ち込む、といった簡単な作業により、入隅部において、内壁パネル６を壁軸組４および入隅用コーナー添柱５に確実に密着させて強固に固定することができる。
【００２１】
なお、前述した実施形態においては、左側から順に内壁パネル６を建て込む場合について例示したが、右側から内壁パネル６を建て込んでもよく、その順序を限定するものではない。
【００２２】
また、金具本体２の他方の板部２２に形成された引き寄せ誘導溝２２ａは、円弧状に形成して例示したが、円弧形状に限定するものではなく、く字状であってもよい。
【００２３】
【発明の効果】
以上のように本発明によれば、入隅用コーナー添柱の開口端縁部に取付金具を仮固定し、入隅用コーナー添柱および金具本体の他方の板部に添って建て込まれた内壁パネルの縦枠に引き寄せ誘導溝から案内用釘を打ち込んだ状態で金具本体を叩いて取付金具を昇降させるので取付金具が安定する。よって、内壁パネルを入隅用コーナー添柱に密着するように確実に移動させてから固定用釘を打ち込んで内壁パネルの縦枠に取付金具を固定することで、入隅用コーナー添柱に添って内壁パネルを強固に固定することができる。
【図面の簡単な説明】
【図１】本発明の入隅部における内壁パネルの取付構造に用いられる取付金具を
示す斜視図である。
【図２】図１の取付金具を入隅用コーナー添柱に仮固定する場合の説明図である。
【図３】図１の取付金具を介して内壁パネルを固定する場合の説明図である。
【図４】固定された内壁パネルに入隅用添柱を立設する場合の説明図である。
【図５】本発明の取付構造を示す断面図である。
【図６】従来の入隅部における内壁パネルの取付金具を用いて壁軸組および入隅用コーナー添柱に内壁パネルを固定する場合の説明図である。
【符号の説明】
１  取付金具
２  金具本体
２１  一方の板部
２２  他方の板部
２２ａ  引き寄せ誘導溝
３  挟持片
４  壁軸組
４１  縦柱
５  入隅用コーナー添柱
５ａ  開口部
５１  開口端縁部
６  内壁パネル
６１  縦枠
６２  断熱材
７  入隅用添柱
８  ふかし材
ｎ１  案内用釘
ｎ２  固定用釘
【図１】
0003563913.tif 000002
【図２】
0003563913.tif 000003
【図３】
0003563913.tif 000004
【図４】
0003563913.tif 000005
【図５】
0003563913.tif 000006
【図６】
0003563913.tif 000007